(57)【要約】【課題】プランジャチップの外周面とスリーブ孔の内周面との間のクリアランスに溶湯が差し込むことを防止することができる横射出ダイカスト用装置の提供。【解決手段】横射出ダイカスト用装置１は、固定型３と、固定型３と共にキャビティ７を画成する可動型４と、給湯孔を有し固定型３に嵌合されたスリーブ９と、スリーブ９内を水平方向に前進して溶湯を該キャビティ７に向けて射出するプランジャチップ１０とを備えている。スリーブ９はスリーブ孔９Ｂを有し、プランジャチップ１０の最前進位置におけるスリーブ孔９Ｂの径Ｄ２は、スリーブ孔９Ｂの後端部９Ｂ１側の径Ｄ１よりも小さく形成されていることを特徴とする。【選択図】  図２
2013141693.tif 000002
【特許請求の範囲】
【請求項１】
固定型と、該固定型と共にキャビティを画成する可動型と、給湯孔を有し該固定型に嵌合されたスリーブと、該スリーブ内を水平方向に前進して溶湯を該キャビティに向けて射出するプランジャチップとを備えた横射出ダイカスト用装置において、該スリーブはスリーブ孔を有し、該プランジャチップの最前進位置における該スリーブ孔の径は、該スリーブ孔の後端部側の径よりも小さく形成されていることを特徴とする横射出ダイカスト用装置。
【請求項２】
請求項１に記載の横射出ダイカスト用装置を用いてダイカストを行うことを特徴とするダイカスト法。
【発明の詳細な説明】
【技術分野】
【０００１】
本発明は、横射出ダイカスト用装置及び該装置を用いるダイカスト法に関し、特に、スリーブ内においてプランジャチップを水平方向に移動させ、金型のキャビティに向けて溶湯を横方向に射出する横射出ダイカスト装置及び該装置を用いるダイカスト法に関する。
【背景技術】
【０００２】
スリーブが給湯孔から金型の固定型の内部まで一体で形成された一体型スリーブを用いる横射出ダイカスト用装置は、下記特許文献１により公知である。
【０００３】
横射出ダイカスト装置は、溶湯をスリーブに形成された給湯孔からスリーブ内に供給し、射出シリンダを駆動することでシリンダロッドを介しプランジャチップがスリーブ内を摺動して、溶湯を金型のキャビティ内に充填する。ここで、スリーブの内周面とプランジャチップの外周面との間での摺動が適正な抵抗を具備する必要がある。両者間のクリアランスが大きすぎると、溶湯がクリアランス内に侵入して固化し、いわゆるかじりを生じる。摺動部で生じるかじりは、射出部材の寿命を低下させる上、ダイカスト品の品質をも低下させる。また、近年、ダイカスト法では充填時間を短縮し、溶湯の温度低下を最小にして製品の品質を向上させることが行われているが、射出速度を上げると射出完了時の衝撃でサージ圧が発生するので、プランジャチップの外周面とスリーブの内周面との間のクリアランスに溶湯が差し込んでしまういわゆるバックフラッシュが生じる可能性もある。よって、かじりやバックフラッシュが生じない程度の適度の摺動抵抗があることが好ましい。しかし、摺動抵抗が大きすぎると、プランジャチップの円滑な往復動作の妨げとなるため、クリアランスを適正なレベルに保持する必要がある。
【先行技術文献】
【特許文献】
【０００４】
【特許文献１】特開２０１０−１２００７２号公報（図７）
【発明の概要】
【発明が解決しようとする課題】
【０００５】
それゆえに本発明は上記従来の問題点に鑑みてなされ、その目的とするところは、プランジャチップの外周面とスリーブの内周面との間のクリアランスに溶湯が差し込むことを防止することができる横射出ダイカスト用装置及び当該装置を用いて行うダイカスト法を提供することを課題とする。
【課題を解決するための手段】
【０００６】
本発明は上記課題を解決すべくなされたものであって、本発明に係る横射出ダイカスト用装置１は、固定型３と、該固定型３と共にキャビティ７を画成する可動型４と、給湯孔を有し該固定型３に嵌合されたスリーブ９と、該スリーブ９内を水平方向に前進して溶湯を該キャビティ７に向けて射出するプランジャチップ１０とを備えた横射出ダイカスト用装置１において、該スリーブ９はスリーブ孔９Ｂを有し、該プランジャチップ１０の最前進位置における該スリーブ孔９Ｂの径Ｄ２は、該スリーブ孔９Ｂの後端部９Ｂ１側の径Ｄ１よりも小さく形成されていることを特徴とする。
【０００７】
また、本発明に係るダイカスト法は、上記の横射出ダイカスト用装置１を用いてダイカストを行うことを特徴とする。
【発明の効果】
【０００８】
本発明の横射出ダイカスト用装置及びダイカスト法は、プランジャチップの外周面とスリーブ孔の内周面との間のクリアランスに溶湯が差し込むことを防止することができる等の効果を奏する。
【図面の簡単な説明】
【０００９】
【図１】本発明の一実施形態における横射出ダイカスト用装置の要部を示す断面図。
【図２】同実施形態における横射出ダイカスト用装置のスリーブ周辺の拡大断面図。
【発明を実施するための形態】
【００１０】
本発明の一実施形態に係る横射出ダイカスト用装置１について図１及び図２に基づき説明する。図１に示されるように、横射出ダイカスト用装置１は、固定型３と可動型４からなるダイカスト金型２を備えている。また、横射出ダイカスト用装置１は、固定型３を支持する固定プラテン５と、可動型４を支持する可動プラテン６を備えている。可動型４と可動プラテン６は矢印Ａ←→Ａ´で示される可動型４の移動方向（ダイカスト金型１の型開き方向）に移動可能に構成されている。図１に示す型閉め状態においては、固定型３と可動型４によりキャビティ７とランナー８が画成される。
【００１１】
スリーブ９は一体型スリーブであり、先端側は固定型３に嵌合されている。固定型３にはスリーブ挿入孔３Ａが形成されており、このスリーブ挿入孔３Ａにはスリーブ９が嵌合されている。また、固定プラテン５にもスリーブ挿入孔５Ａが形成されており、スリーブ９はこのスリーブ挿入孔５Ａにも嵌合されている。スリーブ９の後端側にはアルミニウム合金等の溶湯を図示せぬラドルを介して供給する為の給湯孔９Ａが形成される。スリーブ９内にはプランジャチップ１０が配設されている。プランジャチップ１０はプランジャロッド１１を介して図示せぬ射出シリンダ機構に接続され、スリーブ９内を水平方向に移動可能に構成されている。プランジャチップ１０は、給湯孔９Ａからスリーブ９内に供給されたアルミニウム合金等の溶湯をキャビティ７に向けて射出する。溶湯はスリーブ９のスリーブ孔９Ｂとランナー８を通ってキャビティ７に充填されることになる。
【００１２】
図２に示すように、スリーブ孔９Ｂはその後端部から固定型に嵌合されている部分にかけて延びる基本径部９Ｂ１を備えている。この基本径部９Ｂ１の径Ｄ１（例えばφ１４０．０２５ｍｍ）は、プランジャチップ１０を円滑に摺動させることができるクリアランスを有するように設定されている。また、スリーブ孔９Ｂは固定型に嵌合されている部分に第１テーパ部９Ｂ２を備えており、スリーブ孔９Ｂの径は図２にＸで示す位置から前方に向かって徐々に縮径している。そしてＹで示す位置において径Ｄ２（例えばφ１３９．９７ｍｍ）の縮径部９Ｂ３に至り、この縮径部９Ｂ３がスリーブ９の前端部まで連続している。スリーブ孔９Ｂの前端部にはダイカスト品にビスケット部を成形する為の第２テーパ部９Ｂ４が形成されており、スリーブ孔９Ｂの径は前方に向かって徐々に拡径している。プランジャチップ１０で溶湯をキャビティ７に向けて射出する場合、プランジャチップ１０は第１テーパ部９Ｂ２に案内されてその全体が縮径部９Ｂ３内に進入する。プランジャチップ１０が縮径部９Ｂ３の最前進位置に至って溶湯の射出が完了すると、射出完了時の衝撃でサージ圧が発生して溶湯がプランジャチップ１０の外周面と前端部９Ｂ３の内周面との間に差し込もうとするが、プランジャチップ１０の先端の外周面と縮径部９Ｂ３の内周面との間のクリアランスは０．２ｍｍ以下に設定されているので、溶湯の差込を防止することができる。なお、基本径部９Ｂ１の径Ｄ１は本発明の後端部側の径に相当する。
【００１３】
次に、横射出ダイカスト装置１を用いたダイカスト法について説明する。ダイカスト法においては、先ず、可動型４を固定型３に対して移動させて型締めを行い、固定型３と可動型４によりキャビティ７を画成する。次に、給湯孔９Ａからスリーブ９内に溶湯を供給する。次に、図示せぬ射出シリンダ機構によりプランジャチップ１０を縮径部９Ｂ３まで前進させて溶湯をキャビティ７に向けて射出する。次に、可動型４を移動させて型開きを行い、ダイカスト品を図示せぬ押出しピンにより可動型４から押出してダイカスト品の取り出しを行う。そして、射出シリンダ機構によりプランジャチップ１０を後退させる。以上がダイカスト法である。
【００１４】
横射出ダイカスト装置１を用いたダイカスト法によれば、プランジャチップ１０がスリーブ９内の最前進位置に至って溶湯の射出が完了すると、射出完了時の衝撃でサージ圧が発生して溶湯がプランジャチップ１０の外周面とスリーブ孔９Ｂの内周面との間に差し込もうとするが、プランジャチップ１０の最前進位置である縮径部９Ｂ３は後端部よりも径が小さくされ、プランジャチップ１０の外周面とスリーブ孔９Ｂの内周面との間のクリアランスが小さく設定されているので、溶湯が差し込むことが防止される。従って、プランジャチップ１０のかじりやバックフラッシュを防止して円滑にダイカスト法を繰り返すことができる。
【００１５】
本発明による横射出ダイカスト用装置及びダイカスト法は、上述した実施形態に限定されず、特許請求の範囲に記載した範囲で種々の変形や改良が可能である。例えば、上述した実施形態においては、プランジャチップ１０が最前進位置に至った際にはプランジャチップ１０の全体がスリーブ孔９Ｂの縮径部９Ｂ３内に進入していたが、プランジャチップ１０が最前進位置に至った際に少なくともプランジャチップ１０の先端が縮径部９Ｂ３内に進入するように構成されていればよい。
【符号の説明】
【００１６】
１      横射出ダイカスト用装置
２      ダイカスト金型
３      固定型
３Ａ    スリーブ挿入孔
４      可動型
５      固定プラテン
５Ａ    スリーブ挿入孔
６      可動プラテン
７      キャビティ
８      ランナー
９      スリーブ
９Ａ    給湯孔
９Ｂ    スリーブ孔
９Ｂ１  基本径部
９Ｂ２  第１テーパ部
９Ｂ３  縮径部
９Ｂ４  第２テーパ部
１０    プランジャチップ
１１    プランジャロッド
【図１】
2013141693.tif 000003
【図２】
2013141693.tif 000004